(57)【要約】      （修正有）【課題】一度利用者が電話を入手すれば、呼出番号の割当てが自動的に行なわれる方法を提供する。【解決手段】システム中の特定の電話を立ち上げる呼出番号を供給するコマンドメッセージの単語を符号化するためのみに確保された仮想呼出番号のグロッサリーを作成するステップと、符号化されたコマンドメッセージを供給するために仮想呼出番号の前記グロッサリーからの番号で該コマンドメッセージを符号化するステップと、該システム中の該複数の電話に符号化されたコマンドメッセージを通信するステップと、該複数の電話それぞれにより該コマンドメッセージを復合化するステップと、該特定の電話の電子通し番号により識別された前記特定の電話を、前記特定の電話に前記指定された呼出番号を設けることにより立ち上げるステップとからなる方法。【選択図】図１
2009033761.tif 000002
【特許請求の範囲】
【請求項１】
複数の電話のためのシステムにおいて１つの電話を遠隔立ち上げする方法であって、
前記システム中の特定の電話を立ち上げる呼出番号を供給するコマンドメッセージの単語を符号化するためのみに確保された仮想呼出番号のグロッサリーを作成するステップ、
前記特定の電話の電子通し番号を確認しかつ前記特定の電話のための呼出番号を申請する申請メッセージを前記特定の電話により送信するステップ、
前記申請メッセージに応じて、グロッサリーの前記仮想番号と異なる前記特定の電話のために指定された呼出番号を供給するステップ、
前記電話の指定された呼出番号を含むコマンドメッセージを前記特定の電話の前記電子通し番号で構成するステップ、
符号化されたコマンドメッセージを供給するために仮想呼出番号の前記グロッサリーからの番号で前記コマンドメッセージを符号化するステップ、
前記システム中の前記複数の電話に前記符号化されたコマンドメッセージを通信するステップ、
前記複数の電話それぞれにより前記コマンドメッセージを復合化するステップ、および
前記特定の電話の電子通し番号により識別された前記特定の電話を、前記特定の電話に前記指定された呼出番号を設けることにより立ち上げるステップ
からなる方法。
【発明の詳細な説明】
【技術分野】
【０００１】
本発明は中央局からの立上げ（ａｃｔｉｖａｔｉｏｎ）コマンドの送信による移動電話（ｍｏｂｉｌｅ  ｔｅｌｅｐｈｏｎｅ）の遠隔立上げに関し、さらに詳しくは、電話が応答するページングチャネルの仮想（ｐｈａｎｔｏｍ）番号の一組を使用するコマンドメッセージの符号化に関する。
【背景技術】
【０００２】
今日、移動電話は広く利用されている。移動電話の利用には２つの手続きが必要であり、第１のステップとして、利用者は販売店から電話を購入またはリースして電話を入手する。入手するためには、通常、販売店に行き、電話を受け取らなければならない。前記手続の第２のステップとして、電話の利用者は電話を立ち上げる。立ち上げにより携帯電話サービスから移動電話に電話番号が割り当てられる。電話の呼出番号を受け取るには、利用者と携帯電話サービス会社とのあいだの双方向通信が必要であり、該双方向通信において電話の販売またはリースが真正であることが、製造時に電話に内蔵された電子通し番号（ｅｌｅｃｔｒｏｎｉｃ  ｓｅｒｉａｌ  ｎｕｍｂｅｒ（ＥＳＮ））の助けにより確認される。
【発明の開示】
【発明が解決しようとする課題】
【０００３】
前述の２つのステップの手続は過度に手間がかかるという問題がある。一度利用者が電話を入手すれば、呼出番号の割当てが、たとえば中央局との電子的通信により、自動的に行なわれることが望ましい。しかしながら、かかる通信は、移動電話は該電話の立ち上げ前には、通常、中央局との双方向通信ができないという事実により妨げられる。
【課題を解決するための手段】
【０００４】
本発明にかかわる移動電話の立ち上げ方法により、前述の問題は解決され、別の利点がもたらされる。移動電話は該電話に呼出番号の割当てがなくとも、ページングチャネルに関する信号を受信できることが知られている。それゆえ、移動電話は放送された全ての呼出番号を含むページングチャネル信号を受信する。現在の呼出番号検知回路は、電話の立上げにより、入ってくる呼出番号を電話自身に割り当てられた参照呼出番号と比較して識別する。先行技術では、もし電話に呼出番号の割当てがなければ、ページング番号は無視され、移動電話と中央局との双方向通信は開始されない。
【０００５】
しかしながら、本発明によれば、立ち上げされていない電話のページングチャネルの呼出番号を受信する能力により、中央局からメッセージを受信する機会が提供される。メッセージの受信は、メッセージの個々の単語をアルファベットで符号化することにより成し遂げられる。前記アルファベットの個々の文字は、前記メッセージの受信のために備えられ、どの移動電話にも割り当てられておらず、かつ、通話を開始するための移動電話の呼出しに利用されていない一組の呼出番号によって表わされる。前記呼出番号の組は、仮想呼出番号と呼んでもよい。本発明において、現在の呼出番号検知回路は、移動電話の立ち上げ前に、個々の入ってくる呼出番号を、仮想呼出番号の各組と比較するために使用される。前もって、同一の仮想呼出番号の組が電話システムの各移動電話に関するメモリ内に記憶されている。前記仮想呼出番号の組は、移動電話に中央局からページングチャネルを介して送信される立ち上げコマンドメッセージ中で送信される単語を構成する各アルファベット文字を表すために使用される。
【０００６】
移動電話を立ち上げるには、移動電話から中央局に立上げ申請する信号が送信される。電話は、該電話のＥＳＮと、ときには、もし望むならば、クレジットカード番号情報のような他のデータとを送信する。中央局にある、または電話回線で中央局に接続しているコンピュータは、それから、移動電話が正当に販売されたか、リースされたか、またクレジットの詳細が記録にあるかを確かめる。移動電話会社は、コンピュータがメッセージの送信のためにアルファベットを生成できるように、記憶された仮想番号をコンピュータに供給する。それにより、コンピュータは、前記移動電話を識別する前記呼出番号として使用される特定の番号をダウンロードする（ｄｏｗｎ−ｌｏａｄｉｎｇ）ために、無線電話回線を介して移動電話と通信する。
【０００７】
本発明には、移動電話の呼出番号の設定の手続が自動的に行なわれるという利点がある。たとえば移動電話の利用者は、単に充電のために電池（ｂａｔｔｅｒｙ）を充電器に差し込むだけでよい。それに応じて移動電話は、中央局に呼出番号を要求する信号の送信を開始する、前述の一連の段階を開始する。それゆえ、移動電話の利用者は、移動電話の呼出番号の設定に関連する作業から一切解放される。
【０００８】
本発明の、前述した特徴および他の特徴を添付の図面を参照して以下に説明する。複数の図面において、同一の番号を付された要素は同じ要素を示しており、それ故全ての図面の説明において言及されているわけではない。
【発明を実施するための最良の形態】
【０００９】
図１は、複数の電話１２間の通信を提供する電話システム１０を示し、一例として３つの電話が示されている。電話システム１０は、本発明における電話１２の立上げの手順を提供する。典型的には電話１２は中央局１４を介して相互接続されている無線電話、または移動電話である。立上げ手順で、電話１２のそれぞれには、呼出番号が提供される。立上げは、中央局１４とは分離して示されている立上げユニット１６の使用によって達成されるが、もし望むならば、立上げユニット１６は中央局１４と同じ場所に設置されてもよい。本発明は中央局１４に無線で通信する無線移動電話の立上げに最も有効であるが、本発明は中央局１４に電線またはファイバ光リンク（ｆｉｂｅｒ  ｏｐｔｉｃ  ｌｉｎｋｓ）で結ばれる電話にも実施できる。
【００１０】
本発明を説明するために、複数の電話１２は同じ構造の移動電話とし、１つの電話１２の構成が図２に示されている。電話１２は、それぞれマイクロホン１８、スピーカ２０、空中線あるいはアンテナ２２、マイクロホン１８に接続された送信器２４、スピーカ２０に接続された受信器２６、および送信器２４と受信器２６とをアンテナ２２に接続させる送受信切換え器２８からなる。さらに、電話１２にはコントローラ３０が内蔵され、コントローラ３０がコンピュータ３２と共に動作して、送信器２４と受信器２６の動作を制御する。電話１２は、実施の形態では、アナログ型の移動電話として示されているが、本発明はデジタル型の移動電話にも使用できることが理解される。メッセージの送受信の開始など、コントローラ３０の様々な機能はよく知られており、ここでさらに詳細に説明する必要はない。コントローラ３０に接続されているのは、プログラムメモリ３４、メモリ３６および番号割当てモジュール（ＮＡＭ）３８であり、もし望むならば、番号割当てモジュール３８はメモリ３６の一部として構成してもよい。また、本発明によれば、移動電話１２は、受信器２６とコンピュータ３２とのあいだに接続された仮想呼出番号復号器４０を有するが、復号器４０の機能は仮想呼出番号を記憶するメモリ４１に関連してのちに説明する。
【００１１】
図１に示すように、立上げユニット１６は、コンピュータ４２とモデム４４からなり、モデム４４はコンピュータ４２を中央局１４に接続するように働く。利用できる呼出番号を記憶したメモリ４６と、有効であることが認められた電子通し番号（ＥＳＮ）を記憶したメモリ４８は、コンピュータ４２に接続されて、利用できる呼出番号および有効であることが認められたＥＳＮに関する情報をコンピュータ４２に提供する。また、コンピュータ４２にはメモリ５０が接続されており、備えられた呼出番号のグロッサリー、すなわち仮想呼出番号がメモリ５０に記憶されている。該仮想呼出番号はそれぞれの電話１２の各ページングチャネル上での通信に適している。仮想番号はどの電話１２用の呼出番号としても使用されてはならない。本発明においては、仮想呼出番号は、コンピュータ４２により中央局１４を介して電話１２に送信されるメッセージを符号化するために使用される。仮想呼出番号によるメッセージの符号化は、符号器５２により行なわれる。符号器５２はコンピュータ４２により作動し、メモリ５０とモデム４４とを接続する。
【００１２】
図１および２において、電話システム１０の動作中、１番目の電話１２が中央局１４に仮想呼出番号を送信することにより、２番目の電話１２との通信を開始できる。各電話１２はコントロールチャネルを有する。コントロールチャネルを通して、信号が、電話の通信を開始するために、かつ、１つの電話の通話から他の１つの電話の通信と切換える際に使用されるような、他の機能を遂行するために伝送される。コントロールチャネルには仮想呼出番号の通信のためのページングチャネルが含まれる。通信の開始が送信器２４の使用によって行なわれる。送信器２４は呼出番号を送信器２４のページングチャネルを介して送信するが、呼出番号は搬送波上に適当に変調され、送受信切換え器２８を介してアンテナ２２に送られる。搬送波信号はアンテナ２２から放射され、無線通信回線５４に沿って、中央局１４に送られる。
【００１３】
ページングチャネルは、周知の方法で、前記呼出番号を送信するようになされている。２番目の電話１２が中央局１４から呼出番号を受信すると、受信器２６のページングチャネルが、呼出番号の存在を認識する。呼出番号を搬送する各信号は復号器４０により復合化され、コンピュータ３２に供給される。コンピュータ３２では呼出番号が調べられ、該呼出番号が前記２番目の電話１２宛なのか、または他の電話１２宛てなのかが決定される。もし、呼出番号が前記２番目の電話１２宛てだと確認されると、前記２番目の電話１２は、該電話のコントロールチャネルを介して送信される信号により応答し、１番目の電話１２との通信を開始する。コントローラー３０とコンピュータ３２の動作は、プログラムメモリ３４中に記憶された命令を使用して遂行される。一方、メモリ３６は、移動電話１２の動作中、コンピュータ３２とコントローラ３０により遂行される様々なデータ処理段階で使用される。２台の電話１２間の通話の通信は、それぞれの送信器２４と受信器２６との音声チャネルを通して遂行される。２台の電話間の音声通信回線を成立させるための電話システム１０の動作開始についての説明は、かかる電話システムの動作がよく知られており、本発明の理解のために、ここでさらに説明する必要がないので、簡潔でありかつ簡略化されている。
【００１４】
本発明によれば、電話１２に対する特定の呼出番号の割当て前であっても、ページングチャネルを介した呼出番号の通信が、電話１２の送信器２４と中央局１４とのあいだに遂行できることが認められる。これは音声チャンネルを介した通信とは対照的であり、電話は１つの電話が他の通信すべき電話を指定できる呼出番号の割当てを受けていなければならない。電話が電話システム１０の内部で動作できるようになる立上げ過程には、呼出番号の割当てに加えて、料金請求およびその他のモニタリング機能も含まれている。
【００１５】
立上げユニット１６はすべての呼出番号およびＥＳＮに応答する。さらに、立上げを望む特定の電話１２は、該電話のページングチャネルを介して立上げユニット１６用の呼出番号を送信する。該呼出番号は中央局１４を介して立上げユニット１６へと送信され、ページングメッセージの通信を開始する。立上げユニット１６へのページングメッセージ中には、前記特定の電話１２のＥＳＮが含まれている。また、メッセージで立上げユニット１６に送信されるのは、前記特定の電話１２に呼出番号を発行するための立上げユニット１６への申請である。
【００１６】
立上げユニット１６の動作において、呼出番号についてのページングチャネルの申請は、モデム４４を介してコンピュータ４２で受信される。コンピュータ４２は、前記特定の電話１２のＥＳＮをメモリ４８に記憶されたすべてのＥＳＮと比較し、特定の電話１２のＥＳＮが有効なＥＳＮであることを確かめることによって呼出番号についての申請に応じる。たとえば、人が電話の販売店で移動電話を購入、またはリースするばあいは、販売店は電話システム１０を運営する電話会社に連絡して、電話会社に購入、またはリースされたばかりの電話１２のＥＳＮを知らせる。さらに、販売店は、電話システム１０により顧客に提供されたサービスに対して電話の顧客に料金請求するために必要なクレジットおよびその他の請求データを電話会社に知らせる。かかる情報を受信すると、電話会社は直ちに特定の電話１２のＥＳＮをメモリ４８に入力し、特定の電話１２のＥＳＮが有効なＥＳＮであることをコンピュータ４２に示す。
【００１７】
電話会社は、また、新しい電話１２の立上げ時に割り当てられる、すべての利用できる呼出番号をメモリ４６に入力する。該入力により、コンピュータ４２が立上げ申請を受信すると、コンピュータ４２はページングチャネル上で受信した、特定の電話１２のＥＳＮを確かめることができる。これはページングチャネルを介して受信したＥＳＮを、メモリ４８に記憶された全てのＥＳＮと比較することにより遂行される。もし、整合がえられれば、ＥＳＮは有効である。さらに、コンピュータ４２は、特定の電話１２に対し発行される、利用できる呼出番号の１つをメモリ４６から選択する。
【００１８】
電話１２のどれもが、立ち上がっているか、まだ立ち上がっていないかを問わず、ページングチャネルを介して入信してくる呼出番号を受信することが可能である。しかしながら、立ち上げていない電話１２のばあい、立ち上げていない電話は、仮想呼出番号以外の呼出番号の受信には応じられない。立上げ済み電話１２のばあい、立上げ済み電話は、呼出番号が該電話自身の呼出番号なのか、他の電話の呼出番号なのかを直に確かめられる。
【００１９】
立上げユニット１６から特定の電話１２に立上げコマンドメッセージを送信するために、立上げユニットから特定の電話１２に送信されるコマンドメッセージは、メモリ５０内に記憶された仮想番号のグロッサリー（ｇｌｏｓｓａｒｙ）からの仮想呼出番号によりコマンドメッセージのそれぞれの単語を符号化することによりエンコードされる。グロッサリー中の呼出番号は、メモリ４６中の利用できる呼出番号のリストに記憶された番号とは異なる。したがって、仮想番号のどれもが、システム１０の動作に干渉することなく、システム１０を介して送信される。それは、仮想呼出番号の１つを指定呼出番号としている電話１２がないからである。図４を参照しつつさらに詳細に説明すると、コマンドメッセージは、メッセージのはじめにあるメッセージ開始（ＳＯＭ）フラッグのような指示とともに、割り当てられた呼出番号および移動電話１２のＥＳＮの両者を含む。このフラッグは、メッセージが、指定された呼出番号を受信するように電話１２に指示するコマンドメッセージであることを特定の電話１２に知らせる。
【００２０】
仮想呼出番号によるコマンドメッセージの符号化については、アルファベット中のある特定の文字を表すために短点と長点が使用されるモールス符号と同様に、ここでは、特定の文字すなわちコマンドメッセージの単語を識別するために、１つ以上の仮想番号が使用される。したがって、立上げユニット１６の動作において、コンピュータはコマンドメッセージの各単語を符号器５２に入力する。符号器５２は、コマンドメッセージの各単語を符号化するために、メモリ５０から適切な呼出番号を引き出し、中央局１４を介して全ての電話１２に伝送するために、コマンドメッセージをモデム４４に出力する。
【００２１】
システム１０の各移動電話１２で、受信器２６のページングチャネルを介して受信したすべての入ってきた呼出番号は復号器４０を介してコンピュータ３２へと供給される。復号器４０がメモリ５０内のグロッサリーの各仮想呼出番号に応じるように、復号器４０は、さらに仮想呼出番号を記憶したメモリ４１と関連して動作する。グロッサリーにない他の呼出番号は復号器４０により拒否される。拒否された番号は通常の呼出番号と判断され、立上げ手段ではコンピュータ３２により処理される必要はない。メモリ５０のグロッサリー中の呼出番号を除き、かかる呼出番号は全て、電話システム１０のような、携帯電話システムの動作において良く知られている方法で、コンピュータ３２により処理される。コンピュータ３２による処理により、入ってきた呼出番号が各電話１２に割り当てられた呼出番号と同一であるかの確認が行なわれる。したがって、コンピュータ３２は各電話１２に割り当てられた有効な呼出番号と、ある電話１２の立上げのために使用される仮想呼出番号とを分離して処理できる。
【００２２】
受信器２６がページングチャネルを介して仮想呼出番号を受信すると、復号器４０は、コマンドの単語を構成する一連の仮想呼出番号の中の連続した呼出番号のみならず、仮想呼出番号を復合化する。復合化されたコマンドの単語は、復号器４０を介してコンピュータ３２に供給される。コンピュータ３２は、コマンドメッセージのＥＳＮと特定の電話１２のＥＳＮとを比較し、コマンドメッセージに応じる。もし、ＥＳＮが同じでなければ、前記コマンドメッセージは前記特定の電話１２宛てではなく、他の電話宛てであると判断される。したがって、コンピュータ３２は前記コマンドメッセージを拒否し、該コマンドメッセージについては、前記特定の電話１２はそれ以上何らの措置をとる必要がない。前記特定の電話１２に割り当てられたＥＳＮは、プログラムメモリ３４に記憶される。しかしながら、入ってきたコマンドメッセージがメモリ３４に記憶されたＥＳＮと同じＥＳＮを有しているばあいには、前記コマンドメッセージは前記特定の電話１２に向られている。したがって、コンピュータ３２は、コマンドメッセージの呼出番号を前記特定の電話１２に割り当てられた呼出番号としてＮＡＭ３８に永久的に記憶させるために、コマンドメッセージの呼出番号をＮＡＭ３８に入力する。このとき、前記特定の電話１２は立ち上げられ、音声通信を開始するために他の移動電話１２の１つから送信される呼出番号に応じることができる。
【００２３】
図３は、前記立ち上げ手続を概略的に示している。図１のメモリ４６に示されているように、利用できる呼出番号の蓄積がブロック５６で示されている。図１のメモリ５０中に記憶された、仮想呼出番号のグロッサリーの記憶が図３のブロック５８に示されている。手続はブロック６０で開始し、ブロック６０では、立上げが希望される特定の電話が、立上げユニット１６（図１）に呼びかけ、立ち上げるべき特定の電話のＥＳＮを送信する。ブロック６２で、立上げユニットは、ＥＳＮを確かめるために、ＥＳＮをチェックする。確認ができず、ＥＳＮが有効ではなかったばあいには、ブロック６４に示されるように立上げは行なわれない。しかしながら、ＥＳＮが有効であるばあいには、手続はブロック６６に進行し、そこで立上げコマンドメッセージが準備される。コマンドメッセージに含まれているのは、ブロック５６中の利用できる呼出番号の供給に基づく１つの呼出番号である。また、コマンドメッセージに含まれるのは、立上げを申請している特定の電話のＥＳＮである。
【００２４】
手続はブロック６８へと進行し、そこでコマンドメッセージが、ブロック５８より供給される仮想呼出番号によって符号化される。そののち、ブロック７０で、コマンドメッセージが立上げユニットにより中央局を介して、すべての電話にそれぞれのページングチャネルを通して送信される。ブロック７２に示されるように、すべての電話で、それぞれの復号器が仮想呼出番号を復合化する。コマンドメッセージの復合化ののち、各電話内でチェックが行なわれ、前記コマンドメッセージのＥＳＮがシステムの各電話のＥＳＮに一致するか否か決定される。それから、ブロック７４で、指定されたＥＳＮを有する電話が該電話の立上げのために新しい呼出番号を受取る。
【００２５】
図４は、特定の移動電話１２による呼出番号の申請に応じて、特定の移動電話１２を立ち上げるために、立上げユニット１６（図１）により出力されるコマンドメッセージの構成を示す。図４に記載されるように、コマンドメッセージの構成は、一例として挙げられたものであり、メッセージのバイトの別の配置が使用されてもよいことが理解される。図４に示されるように、第１番目のバイトＳＯＭフラッグはメッセージの開始を示し、かつ、メッセージが電話の立上げのための命令を供給するコマンドメッセージであることも示す。第２番目から第５番目までのバイトは、ＥＳＮの桁（ｄｉｇｉｔ）のためにとってある。ＭＩＮ（移動体識別番号）で表される第６番目から第８番目までのバイトは、特定の電話に割り当てられる呼出番号の桁のためにとってある。第９番目から第１０番目までのバイトは、移動電話が普通設けられる電話システム領域を識別する加入者識別データ（ＳＩＤ）のためにとってある。第１１番目のバイトはフラッグとして識別され、送信を望まれるかもしれない追加のデータのためにとってある。第１２番目と第１３番目のバイトは、メッセージの送信におけるエラー訂正のために使用される巡回冗長検査（ＣＲＣ）のためにとってある。かかるエラー訂正はよく知られている。最後のバイトはメッセージ終結（ＥＯＭ）フラッグである第１４番目のバイトであり、前記特定の電話に対してコマンドメッセージの終了を示す。各バイトは８ビット、またはもし望むならば、他の便宜な数のビットで構成されてよい。
【００２６】
本発明の手続は、移動電話システムで通常使用される現在のソフトウェアで運用可能であるため有利である。前記手続はキーボードを通じて利用者が何らかの信号を入力することなく自動的に実施可能である。たとえば、電話１２の電源を投入すると、呼出番号が存在しているなら、コンピュータ３２がＮＡＭ３８（図２）をサーチして、呼出番号が存在しないばあいには、立上げユニット１６（図１）から呼出番号を割り当てるよう申請する。本発明の手続は、ＣＤＭＡ（符号分割多重アクセス方式（ｃｏｄｅ  ｄｉｖｉｓｉｏｎ  ｍｕｌｔｉｐｌｅ  ａｃｃｅｓｓ））、ＴＤＭＡ（時分割多元接続（ｔｉｍｅ  ｄｉｖｉｓｉｏｎ  ｍｕｌｔｉｐｌｅ  ａｃｃｅｓｓ））、英国で使用されているＴＡＣＳ（英国で使用されているトータルアクセス通信システム（ｔｏｔａｌ  ａｃｃｅｓｓ  ｃｏｍｍｕｎｉｃａｔｉｏｎ  ｓｙｓｔｅｍ  ａｓ  ｉｓ  ｕｓｅｄ  ｉｎ  ｔｈｅ  Ｕｎｉｔｅｄ  Ｋｉｎｇｄｏｍ））、および米国で使用されているＡＭＰＳ（米国で使用されている先端的移動電話システム（ａｄｖａｎｃｅｄ  ｍｏｂｉｌｅ  ｐｈｏｎｅ  ｓｙｓｔｅｍ  ａｓ  ｕｓｅｄ  ｉｎ  ｔｈｅ  Ｕｎｉｔｅｄ  Ｓｔａｔｅｓ））にしたがって動作できる。呼出番号、すなわちＭＩＮの割当ては、ＭＡＣＣ（制御チャネル上のＭＩＮ割当て（ＭＩＮ  ａｓｓｉｇｎｍｅｎｔ  ｏｎ  ｃｏｎｔｒｏｌ  ｃｈａｎｎｅｌ））にしたがって送信器および受信器間の現在あるチャネルを使用することにより達成される。
【００２７】
前記手順を利用する際の一例として、移動電話に添付される取扱説明書につぎの指示を記載してもよい。手続は、まず利用者が電話の充電器を電源に差し込むことを要請する。それにより、電話は「お待ち下さい」と表示する。それから電話が鳴り、電話の利用者が送信キー（ｓｅｎｄ  ｋｅｙ）を押すと、交換手が利用者に電話番号を知らせる。そのとき、電話が適切にプログラムされ、使用準備が整う。
【００２８】
前述した本発明の実施の形態は単に説明のためのみであり、その変更も当業者には見出されうることが理解されよう。したがって、本発明は、本明細書に開示された実施の形態に限定されるものではなく、記載された特許請求の範囲によってのみ限定されるものである。
【図面の簡単な説明】
【００２９】
【図１】本発明により移動電話が立ち上げられる電話システムのブロック図である。
【図２】図１の移動電話の詳細を示すブロック図である。
【図３】本発明の手続を行う手順を示すフローチャートである。
【図４】電話を立ち上げるために移動電話に送られるコマンドメッセージの単語の構成を示す図表である。
【符号の説明】
【００３０】
１２  電話
１４  中央局
１６  立上げユニット
１８  マイクロホン
２０  スピーカ
２２  アンテナ
２４  送信器
２６  受信器
２８  送受信切換え器
３０  コントローラ
３２  コンピュータ
３４  プログラムメモリ
３６  メモリ
３８  番号割当てモジュール
４０  復号器
４１  メモリ
４２  コンピュータ
４４  モデム
４６  メモリ
４８  メモリ
５０  メモリ
５２  符号器
５４  無線通信回線
【図１】
2009033761.tif 000003
【図２】
2009033761.tif 000004
【図３】
2009033761.tif 000005
【図４】
2009033761.tif 000006
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
複数の電話のためのシステムにおいて１つの電話を遠隔立ち上げする方法であって、該方法が、
無線電話への通常の呼出番号の割り当てに先立って、コマンドメッセージの単語を符号化するために仮想呼出番号が確保されており、無線電話による前記仮想呼出番号の送受信を可能にするステップであって、複数の該仮想呼出番号それぞれが、無線ページングチャネルを介してメッセージを送信するために使用される各アルファベット文字を符号化し、該仮想呼出番号は、アルファベット文字でメッセージを符号化するために確保されるが、電話を識別するためのものではなく、該無線電話のメモリに該仮想呼出番号のグロッサリーが備えられているステップ、
電話を立ち上げる間に、前記システム中の特定の電話を立ち上げるために、該グロッサリーの仮想呼出番号とは異なる呼出番号を供給するコマンドメッセージの単語を符号化するためのみに確保された仮想呼出番号のグロッサリーを作成するステップ、
前記特定の電話の電子通し番号を有しかつ前記特定の電話のための呼出番号を申請する申請メッセージを前記特定の電話により前記中央局のコンピュータに送信するステップ、
前記申請メッセージに応じて、グロッサリーの前記仮想番号と異なる前記特定の電話のために指定された呼出番号を供給するステップ、
コマンドメッセージを、前記電話の指定された前記呼び出し番号と前記特定の電話の前記電子通し番号で構成するステップ、
符号化されたコマンドメッセージを供給するために仮想呼出番号の前記グロッサリーからの番号で前記コマンドメッセージを符号化するステップ、
前記特定の電話のページングチャネルを介して、前記コマンドメッセージを中央局から前記無線電話に送信するステップ、
前記システム中の前記複数の電話に前記符号化されたコマンドメッセージを通信するステップ、
前記複数の電話それぞれにより前記コマンドメッセージを復合化するステップ、および
前記特定の電話の電子通し番号により識別された前記特定の電話を、前記特定の電話に前記指定された呼出番号を設けることにより立ち上げるステップ
からなる方法。
【請求項２】
前記電話が移動電話であり、無線電話による前記送信するステップが前記特定の電話のコントロールチャネルを介して行われる請求項１記載の方法。
【請求項３】
移動電話のために指定された呼出番号を供給するコマンドメッセージを移動電話に送信することにより、移動電話を自動的に立ち上げる方法であって、前記移動電話が、無線電話通信回線を介して通信する複数の電話を有する無線電話システムの一部であり、前記通信回線が、前記複数の電話の個々の１つが応じうる呼出番号によって動作するページングチャネルを含み、かつ前記複数の電話が、個々の前記電話を識別するそれぞれの電子通し番号を有しており、前記方法が、
通常の呼出番号の割り当てに先立ってコマンドメッセージの単語を符号化するために仮想呼出番号が確保されており、前記特定の電話の無線のページングチャネルを介して、無線電話による前記仮想呼出番号の受信を可能にするステップであって、複数の該仮想呼出番号それぞれが、無線のページングチャネルを介してメッセージを送信するために使用される各アルファベット文字を符号化し、該仮想呼出番号は、アルファベット文字でメッセージを符号化するために確保されるが、電話を識別するためのものではなく、該無線電話のメモリに仮想呼出番号のグロッサリーが備えられているステップ、
前記電話の立ち上げ中に前記システム中の特定の移動電話のために、前記グロッサリー中の番号とは異なる呼出番号を供給するコマンドメッセージの単語を符号化するためのみに確保された仮想呼出番号のグロッサリーを中央局のコンピュータに作成するステップ、
前記コマンドメッセージを、前記特定の電話の指定された呼出番号と前記特定の移動電話の前記電子通し番号で構成するステップ、
前記特定の電話のページングチャネルを介して、中央局から無線電話にコマンドメッセージを送信するステップ、
符号化されたコマンドメッセージを供給するために、前記グロッサリーの呼出番号からの番号で前記コマンドメッセージを符号化するステップ、および
前記特定の電話の電子通し番号により識別され、前記複数の電話に前記符号化されたコマンドメッセージが通信され、前記特定の移動電話内に指定された呼出番号を設けることにより前記特定の電話を立ち上げるステップ
からなる方法。